(57)【要約】【課題】モアレ除去やエッジ強調などの画像パラメータの設定を効率的に行う。【解決手段】黒以外の色で描かれた画像データ１００に対し、モアレ除去パラメータの値を固定にしてエッジ強調パラメータの値を変移させ、エッジ強調パラメータの値を求めるエッジ強調工程と、所定の線数のモアレを含む画像データ１１０に対し、エッジ強調パラメータの値を固定にしてモアレ除去パラメータの値を変移させ、モアレ除去パラメータの値を求めるモアレ除去工程と、からなり、モアレ除去パラメータの値を初期値に設定し、第１のエッジ強調パラメータを求めるエッジ強調工程Ｓ１００を行い、エッジ強調パラメータとして第１のエッジ強調パラメータを設定し、第１のモアレ除去パラメータを求めるモアレ除去工程Ｓ１１０を行い、モアレ除去パラメータとして第１のモアレ除去パラメータを設定し、第２のエッジ強調パラメータを求めるエッジ強調工程Ｓ１２０を行う。【選択図】図６
2007166467.tif 000002
【特許請求の範囲】
【請求項１】
原稿を入力装置から読み込んだ画像データに対し、前記画像データのモアレを除去するためのモアレ除去パラメータと、前記画像データのエッジを強調するためのエッジ強調パラメータと、からなる画像調整パラメータをエッジ強調レベルおよびモアレ除去レベルの優先度に応じて調整し設定するための画像調整方法において、
黒色以外の色で描かれた第１の画像が印刷された第１のシートと、
所定の線数のモアレを含む第２の画像が印刷された第２のシートと、
を前記入力装置から読み込み、
前記第１のシートを前記入力装置から読み込んだ第１の画像データが前記第１の画像であることを判定する第１の判定工程と、
前記第１の画像データに対し、前記モアレ除去パラメータの値を固定にして前記モアレ除去パラメータの値を変移させ、前記第１の画像データのエッジ部分の画素が黒くならない最大の前記エッジ強調パラメータの値を求めるエッジ強調工程と、
前記第２のシートを前記入力装置から読み込んだ第２の画像データが前記第２の画像であることを判定する第２の判定工程と、
前記第２の画像データに対し、前記エッジ強調パラメータの値を固定にして前記モアレ除去パラメータの値を変移させ、前記第２の画像データのモアレを除去できる前記モアレ除去パラメータの値を求めるモアレ除去工程と、
からなり、
第１工程として、前記モアレ除去パラメータの値を初期値に設定し、前記エッジ強調パラメータである第１のエッジ強調パラメータを求める前記エッジ強調工程を行い、
続く第２工程として、前記エッジ強調パラメータとして前記第１のエッジ強調パラメータを設定し、前記モアレ除去パラメータである第１のモアレ除去パラメータを求める前記モアレ除去工程を行い、
続く第３工程として、前記モアレ除去パラメータとして前記第１のモアレ除去パラメータを設定し、前記エッジ強調パラメータである第２のエッジ強調パラメータを求める前記エッジ強調工程を行う、
ことを特徴とする画像調整方法。
【請求項２】
原稿を入力装置から読み込んだ画像データに対し、前記画像データのモアレを除去するためのモアレ除去パラメータと、前記画像データのエッジを強調するためのエッジ強調パラメータと、前記画像データの無彩色を調整する無彩色パラメータと、からなる画像調整パラメータをエッジ強調レベルおよびモアレ除去レベルの優先度に応じて調整し設定するための画像調整方法において、
黒色以外の色で描かれた第１の画像が印刷された第１のシートと、
所定の線数のモアレを含む第２の画像が印刷された第２のシートと、
黒文字のみで描かれた第３の画像が印刷された第３のシートと、
を前記入力装置から読み込み、
前記第１のシートを前記入力装置から読み込んだ第１の画像データが前記第１の画像であることを判定する第１の判定工程と、
前記第１の画像データに対し、前記モアレ除去パラメータの値と前記無彩色パラメータの値を固定にして前記モアレ除去パラメータの値を変移させ、前記第１の画像データのエッジ部分の画素が黒くならない最大の前記エッジ強調パラメータの値を求めるエッジ強調工程と、
前記第２のシートを前記入力装置から読み込んだ第２の画像データが前記第２の画像であることを判定する第２の判定工程と、
前記第２の画像データに対し、前記エッジ強調パラメータの値と前記無彩色パラメータの値を固定にして前記モアレ除去パラメータの値を変移させ、前記第２の画像データのモアレを除去できる前記モアレ除去パラメータの値を求めるモアレ除去工程と、
前記第３のシートを前記入力装置から読み込んだ第３の画像データが前記第３の画像であることを判定する第３の判定工程と、
前記第３の画像データに対し、前記モアレ除去パラメータの値と前記エッジ強調パラメータの値を固定にして前記無彩色パラメータの値を変移させ、前記第３の画像データの黒文字が全て無彩色となる前記無彩色パラメータの値を求める無彩色チェック工程と、からなり、
第１工程として、前記モアレ除去パラメータの値を初期値に設定し、前記無彩色パラメータの値を初期値に設定し、前記エッジ強調パラメータである第１のエッジ強調パラメータを求める前記エッジ強調工程を行い、
続く第２工程として、前記エッジ強調パラメータとして前記第１のエッジ強調パラメータを設定し、前記モアレ除去パラメータである第１のモアレ除去パラメータを求める前記モアレ除去工程を行い、
続く第３工程として、前記モアレ除去パラメータとして前記第１のモアレ除去パラメータを設定し、前記エッジ強調パラメータである第２のエッジ強調パラメータを求める前記エッジ強調工程を行い、
続く第４工程として、前記モアレ除去パラメータとして前記第１のモアレ除去パラメータを設定し、前記エッジ強調パラメータとして前記第２のエッジ強調パラメータを設定し、前記無彩色パラメータである第１の無彩色パラメータを求める前記無彩色チェック工程を行い、
続く第５工程として、前記モアレ除去パラメータとして前記第１のモアレ除去パラメータを設定し、前記無彩色パラメータとして前記第１の無彩色パラメータを設定し、前記エッジ強調パラメータである第３のエッジ強調パラメータを求める前記エッジ強調工程を行う、
ことを特徴とする画像調整方法。
【請求項３】
請求項１または２に記載の画像調整方法において、前記モアレ除去レベルを優先させる場合は、請求項１に記載の画像調整方法を行い、前記エッジ強調レベルを優先させる場合は、請求項２に記載の画像調整方法を行う、ことを特徴とする画像調整方法。
【請求項４】
請求項１から３のいずれか一項に記載の画像調整方法により画像調整を行うことを特徴とする画像調整装置。
【請求項５】
請求項１から３のいずれか一項に記載の画像調整方法により画像調整を行うことを特徴とする画像調整プログラム。
【発明の詳細な説明】
【技術分野】
【０００１】
本発明は、経時変化、個体差による入力装置の画像調整パラメータの変化を補正する画像調整方法、画像調整装置および画像調整プログラムに関する。
【背景技術】
【０００２】
反射原稿スキャナ等の入力装置と、デジタルプリンタとからなる画像形成システムを用いて、入力装置から取り込んだ画像をデジタルプリンタで記録用紙にプリントすることが知られている。デジタルプリンタとしては、銀塩写真式、熱現像感光材料式、熱記録式、インクジェット式等が用いられる。
【０００３】
反射原稿スキャナは、中間調画像や文字を印刷した印刷物、写真プリント等の原稿に光を照射し、原稿で反射した光をラインセンサで読みとって画像信号を出力するものである。ラインセンサは、所定間隔で配列された多数の光電センサから構成されている。この反射原稿スキャナから出力される画像信号に基づいて文字、中間調画像、図形等の画像をプリントすると、プリントされた画像にモアレ（干渉縞）が生じてしまうことがある。このモアレは、各光電センサのピッチに応じて決まるサンプリング周波数と画像の空間周波数との比率に起因して生じることが知られている。
【０００４】
原稿の内容としては写真画像等の中間調画像や文字等があるが、モアレは、画像の空間周波数の高域部分、すなわち、中間調画像の細かな模様の部分で特に目立つ。このため、従来のモアレ処理では、主として空間周波数の高域部分を減少させるローパスフィルタ（ＬＰＦ）を用いてモアレ処理を施して、再現された画像のモアレを軽減している。
【０００５】
しかしながら、従来のローパスフィルタを使用してモアレ処理をすると、空間周波数の高域部分だけでなく、文字を表現する中域、低域部分まで減少させてしまうため、中間調画像と文字とが混在する原稿では、中間調画像のモアレを除去することができるが、同時に、文字部分の解像度が低下してぼやけてしまうことになる。そこで、中間調画像と文字とが混在する原稿の場合には、中間調画像部分のモアレを除去するとともに文字部分がぼやけないようにするために、ローパスフィルタの特性曲線を微妙に調節することが必要であった。このように、モアレを軽減するための画像調整作業は、原稿の内容に応じて操作が異なるため、誰でも簡単に行うことができなかった。また、画像調整のためのパラメータが複数あるため、多くの組み合わせが存在し、すべての組み合わせで画質を確認することは、工数もかかり困難であった。
【０００６】
また、反射原稿スキャナやデジタルプリンタなどは、特性として個体差および経時変化によって色ずれ等の特性変化が生じる場合がある。これらのパラメータは、製造後に個体毎に最適化して出荷しているが、このような個体差、経時変化については考慮されていない。そのため、画質（特に、文字・細線等のシャープさ）が劣化して見える場合がある。
【０００７】
この問題を解決するために、例えば特許文献１には、モアレを軽減する程度が異なる複数のモアレ除去用のフィルタを用意し、原稿の内容に応じて複数のフィルタを選択的に切り替えて、選択されたフィルタを使用してモアレを軽減する画像処理を施す方法が記載されている。
【０００８】
【特許文献１】特開２００１−３４６０４４号公報
【発明の開示】
【発明が解決しようとする課題】
【０００９】
しかしながら、特許文献１では、原稿の内容に応じて複数のフィルタを用意しなければならず、作業効率を上げることができない。また、経時変化、個体差による入力装置の画像調整パラメータの変化を補正することができない。
【００１０】
本発明は、このような事情に鑑みてなされたものであり、経時変化、個体差による入力装置の画像調整パラメータの変化を補正する画像調整方法、画像調整装置および画像調整プログラムを提供することを目的とするものである。
【課題を解決するための手段】
【００１１】
上記課題を解決するために、本発明の画像調整方法では、原稿を入力装置から読み込んだ画像データに対し、前記画像データのモアレを除去するためのモアレ除去パラメータと、前記画像データのエッジを強調するためのエッジ強調パラメータと、からなる画像調整パラメータをエッジ強調レベルおよびモアレ除去レベルの優先度に応じて調整し設定するための画像調整方法において、黒色以外の色で描かれた第１の画像が印刷された第１のシートと、所定の線数のモアレを含む第２の画像が印刷された第２のシートと、を前記入力装置から読み込み、前記第１のシートを前記入力装置から読み込んだ第１の画像データが前記第１の画像であることを判定する第１の判定工程と、前記第１の画像データに対し、前記モアレ除去パラメータの値を固定にして前記モアレ除去パラメータの値を変移させ、前記第１の画像データのエッジ部分の画素が黒くならない最大の前記エッジ強調パラメータの値を求めるエッジ強調工程と、前記第２のシートを前記入力装置から読み込んだ第２の画像データが前記第２の画像であることを判定する第２の判定工程と、前記第２の画像データに対し、前記エッジ強調パラメータの値を固定にして前記モアレ除去パラメータの値を変移させ、前記第２の画像データのモアレを除去できる前記モアレ除去パラメータの値を求めるモアレ除去工程と、からなり、第１工程として、前記モアレ除去パラメータの値を初期値に設定し、前記エッジ強調パラメータである第１のエッジ強調パラメータを求める前記エッジ強調工程を行い、続く第２工程として、前記エッジ強調パラメータとして前記第１のエッジ強調パラメータを設定し、前記モアレ除去パラメータである第１のモアレ除去パラメータを求める前記モアレ除去工程を行い、続く第３工程として、前記モアレ除去パラメータとして前記第１のモアレ除去パラメータを設定し、前記エッジ強調パラメータである第２のエッジ強調パラメータを求める前記エッジ強調工程を行う、ことを要旨とする。
【００１２】
この構成によれば、写真などの自然画で主に描かれた原稿に対し、中間調画像のモアレを軽減することができる最適な画像調整パラメータを３つの工程で効率的に決定できる。また、経時変化、個体差による入力装置の画像調整パラメータの変化を補正することができる。
【００１３】
また、本発明の画像調整方法では、原稿を入力装置から読み込んだ画像データに対し、前記画像データのモアレを除去するためのモアレ除去パラメータと、前記画像データのエッジを強調するためのエッジ強調パラメータと、前記画像データの無彩色を調整する無彩色パラメータと、からなる画像調整パラメータをエッジ強調レベルおよびモアレ除去レベルの優先度に応じて調整し設定するための画像調整方法において、黒色以外の色で描かれた第１の画像が印刷された第１のシートと、所定の線数のモアレを含む第２の画像が印刷された第２のシートと、黒文字のみで描かれた第３の画像が印刷された第３のシートと、を前記入力装置から読み込み、前記第１のシートを前記入力装置から読み込んだ第１の画像データが前記第１の画像であることを判定する第１の判定工程と、前記第１の画像データに対し、前記モアレ除去パラメータの値と前記無彩色パラメータの値を固定にして前記モアレ除去パラメータの値を変移させ、前記第１の画像データのエッジ部分の画素が黒くならない最大の前記エッジ強調パラメータの値を求めるエッジ強調工程と、前記第２のシートを前記入力装置から読み込んだ第２の画像データが前記第２の画像であることを判定する第２の判定工程と、前記第２の画像データに対し、前記エッジ強調パラメータの値と前記無彩色パラメータの値を固定にして前記モアレ除去パラメータの値を変移させ、前記第２の画像データのモアレを除去できる前記モアレ除去パラメータの値を求めるモアレ除去工程と、前記第３のシートを前記入力装置から読み込んだ第３の画像データが前記第３の画像であることを判定する第３の判定工程と、前記第３の画像データに対し、前記モアレ除去パラメータの値と前記エッジ強調パラメータの値を固定にして前記無彩色パラメータの値を変移させ、前記第３の画像データの黒文字が全て無彩色となる前記無彩色パラメータの値を求める無彩色チェック工程と、からなり、第１工程として、前記モアレ除去パラメータの値を初期値に設定し、前記無彩色パラメータの値を初期値に設定し、前記エッジ強調パラメータである第１のエッジ強調パラメータを求める前記エッジ強調工程を行い、続く第２工程として、前記エッジ強調パラメータとして前記第１のエッジ強調パラメータを設定し、前記モアレ除去パラメータである第１のモアレ除去パラメータを求める前記モアレ除去工程を行い、続く第３工程として、前記モアレ除去パラメータとして前記第１のモアレ除去パラメータを設定し、前記エッジ強調パラメータである第２のエッジ強調パラメータを求める前記エッジ強調工程を行い、続く第４工程として、前記モアレ除去パラメータとして前記第１のモアレ除去パラメータを設定し、前記エッジ強調パラメータとして前記第２のエッジ強調パラメータを設定し、前記無彩色パラメータである第１の無彩色パラメータを求める前記無彩色チェック工程を行い、続く第５工程として、前記モアレ除去パラメータとして前記第１のモアレ除去パラメータを設定し、前記無彩色パラメータとして前記第１の無彩色パラメータを設定し、前記エッジ強調パラメータである第３のエッジ強調パラメータを求める前記エッジ強調工程を行う。
【００１４】
この構成によれば、文字や線で描かれた文書が優先される原稿に対し、文字品質を劣化させることなく、中間調画像のモアレを軽減することができる最適な画像調整パラメータを５つの工程で効率的に決定できる。また、経時変化、個体差による入力装置の画像調整パラメータの変化を補正することができる。
【００１５】
また、本発明の画像調整方法では、前記モアレ除去レベルを優先させる場合は、前記第１工程から前記第３工程までの処理を行い、前記エッジ強調レベルを優先させる場合は、前記第１工程から前記第５工程までの処理を行う。
【００１６】
この構成によれば、文字や線で描かれた文書が優先される原稿の場合は、文字品質を劣化させることなく、写真などの自然画で主に描かれた原稿の場合は、中間調画像のモアレを軽減することができる最適な画像調整パラメータを少ない工程で効率的に決定できる。
【００１７】
次に、本発明に係る画像調整装置は、上述した画像調整方法により画像調整を行う。
【００１８】
この構成によれば、文字や線で描かれた文書が優先される原稿の場合は、文字品質を劣化させることなく、写真などの自然画で主に描かれた原稿の場合は、中間調画像のモアレを軽減することができる最適な画像調整パラメータを少ない工程で効率的に決定できる。
【００１９】
また、本発明に係る画像調整プログラムは、上述した画像調整方法により画像調整を行う。
【００２０】
この構成によれば、文字や線で描かれた文書が優先される原稿の場合は、文字品質を劣化させることなく、写真などの自然画で主に描かれた原稿の場合は、中間調画像のモアレを軽減することができる最適な画像調整パラメータを少ない工程で効率的に決定できる。
【発明を実施するための最良の形態】
【００２１】
以下、本発明を具体化した実施形態について図面に従って説明する。
（第１実施形態）
【００２２】
＜画像調整装置の構成＞
まず、第１実施形態に係る画像調整装置の構成について、図１を参照して説明する。図１は、本発明に係る画像調整装置である複写装置１０の全体構成を示す図である。
【００２３】
図１（Ａ）、（Ｂ）に示すように、複写装置１０は、スキャナ２０とプリンタ４０とそれらに接続されたコピー操作ユニット３０とによって構成されている。コピー操作ユニット３０のＲＯＭ３３（図３）には、後述する本発明に係る画像調整プログラムが格納されている。
【００２４】
図２は入力装置であるスキャナ２０のブロック図である。スキャナ２０は、ＡＤＦ（Auto Document Feeder）にセットされている原稿を原稿読取部に搬送し、その原稿上の画像を読みとる装置である。このとき、読みとった画像は入力画像データによって表現され、複数の画素によって画像を構成するとともに画素毎にＲＧＢ（レッド、グリーン、ブルー）の各色濃度を階調表現している。スキャナ２０は、ＣＰＵ２１、ＲＡＭ２２、ＲＯＭ２３を備えており、ＣＰＵ２１はＲＡＭ２２をワークメモリとしながらＲＯＭ２３に格納された制御プログラムを実行する。これにより、スキャナ２０における読取動作を実現する。
【００２５】
具体的には、読取部２４ａが原稿に光を照射する光源（ＬＥＤ等）とその反射光を検出するセンサ（ＣＣＤ等）と原稿の搬送機構とを備えており、ＣＰＵ２１はデバイスコントローラ２４を介して当該読取部２４ａを制御する。これにより、原稿の搬送および原稿上に記録された内容のデジタルデータ化が行われる。すなわち、ＲＧＢ毎の入力画像データが生成される。インターフェース２６は、接続線を介してコピー操作ユニット３０へ各種データを送信するインターフェースであり、上記ＣＰＵ２１の処理によって入力画像データや画像調整パラメータを送信する。
【００２６】
画像調整パラメータ保持部２５には、スキャナ２０による読取結果として得られる入力画像データをＬ*ａ*ｂ*表色系の座標値に変換するためのプロファイルが記録されている。また、画像調整パラメータはスキャナ２０にて読み取る原稿の種別毎に予め作成されており、当該原稿の種別毎に保持されている。尚、画像調整パラメータ保持部２５はプロファイルを示すデータを保持することができれば良く、マスクＲＯＭでも良いし、ＥＥＰＲＯＭ等の書き換え可能なメモリであっても良い。
【００２７】
図３はコピー操作ユニット３０のブロック図である。コピー操作ユニット３０は、スキャナ２０と同様にＣＰＵ３１、ＲＡＭ３２、ＲＯＭ３３のプログラム実行環境を備えており、ＣＰＵ３１は、ＲＡＭ３２をワークメモリとしながらＲＯＭ３３に格納された制御プログラムを実行する。コピー操作ユニット３０は、ユーザに対してコピー条件等を提示し、また、ユーザからの操作を受け付ける処理を担う。ＲＯＭ３３には、本発明に係る画像調整プログラム５０が格納されている。
【００２８】
このために、ハードディスクやＥＥＰＲＯＭ等の記憶手段によって構成されるデータ保持部３４および原稿種別や印刷用紙の大きさなどユーザに情報を提供する表示部３５（ＬＣＤ等）とユーザ所望の情報を入力するための操作部３６（押しボタンやタッチパネル等）とを備えている。ＣＰＵ３１は、これら表示部３５や操作部３６に対する制御を行う他、データ保持部３４に保持されたデータとスキャナ２０とプリンタ４０に保持された画像調整パラメータとを参照して補正処理を行う。
【００２９】
すなわち、データ保持部３４には予め原稿の種別毎に閾値を示すデータ、明度変化の様子を示す明度データが保持されており、ＣＰＵ３１はこれらのデータを参照する。さらに、インターフェース３８を介してスキャナ２０から画像調整パラメータを取得し、プリンタインターフェース３７を介してプリンタ４０から後述するプリンタプロファイルを取得し、これらのデータに基づいて補正処理を行う。
【００３０】
図４は、プリンタ４０のブロック図である。同図において、ＣＰＵ４１は、ＲＡＭ４２をワークメモリとして使用しながらＲＯＭ４３に格納された制御プログラムを実行する。また、所定の画像処理は画像処理部４４（カスタムＩＣ等）によって実施され、印刷用紙に対して記録材を記録する処理はデバイスコントローラ４５およびプリントエンジン４５ａによって実施される。
【００３１】
すなわち、ＣＰＵ４１は、コピー操作ユニット３０からの指示基づき、データの授受処理を行い、適宜画像処理を実施させる処理を担っており、コピー操作ユニット３０が出力する出力画像データを取得すると、出力画像データに対する処理を画像処理部４４に実施させる。画像処理部４４は、プロファイルを参照した色変換とハーフトーン処理を実施するＩＣであり、上記出力画像データが示す色を出力するための記録材量を特定したハーフトーンデータを生成する。
【００３２】
尚、記録材の色は特に限定されないが、例えば、ＣＭＹＫ（シアン、マゼンタ、イエロー、ブラック）を採用可能である。この場合、画像処理部４４は、ＲＧＢ表色系の出力画像データについて色変換し、ＣＭＹＫの各色について記録材使用量に対応した階調値を生成し、この階調値の階調数を減少させてハーフトーンデータを生成する。
【００３３】
プリントエンジン４５ａは、図示しない感光体ユニットや露光ユニット、現像ユニット、印刷用紙の搬送ユニット等を備えており、ハーフトーンデータに従って、感光体にトナーを転写し、さらに印刷用紙にトナーを転写して定着させることによって印刷を実行する。
当該プリントエンジン４５ａはデバイスコントローラ４５によって制御され、デバイスコントローラ４５は上記ハーフトーンデータを受け取って、当該ハーフトーンデータに従って記録材を記録するように各ユニットを制御する。
【００３４】
画像処理部４４による色変換処理は、ＥＥＰＲＯＭ等のプロファイル保持部４６に保持されたプロファイルを参照しながら実施される。プロファイル保持部４６には、印刷条件に対応した２種類のプロファイルが記録されており、上記出力画像データ（ＲＧＢ値）とＬ*ａ*ｂ*表色系との座標値を対応づけたプリンタプロファイルと、当該出力画像データと記録材（トナー）の色を色成分とした色空間の座標値とを対応づけたトナー変換プロファイルとが記録されている。
【００３５】
画像処理部４４は、上記トナー変換プロファイルを参照して、記録材の色を色成分とした色空間の座標値を取得する。この色変換の結果、上記出力画像データが示す色で画像を形成するための記録材の使用量が特定される。プリンタプロファイルはＣＰＵ４１の制御によってコピー操作ユニット３０に送信され、補正処理を行う。
【００３６】
＜画像調整用シートの読み込み＞
次に、画像調整用シートの読み込みチェックについて図５を参照して説明する。図５は、画像調整用シートの読み込みチェックを説明するフローチャートである。
【００３７】
画像調整用シートは、図７（Ａ）に示す黒以外の色で描かれた第１の画像データであるＲＧＢ画像データ１１０を印刷した第１のシートであるＲＧＢ画像シート１１２と、図７（Ｂ）に示す所定の線数（日本仕様の場合１７５線、米国仕様の場合１３０線）のモアレを含む第２の画像データであるモアレ画像データ２１０を印刷した第２のシートであるモアレ画像シート２１２と、図７（Ｃ）に示す黒文字のみで描かれた第３の画像データである白黒画像データ３１０を印刷した第３のシートである白黒画像シート３１２と、から構成されている。
【００３８】
先ず、ステップＳ１０では、ＲＧＢ画像シート１１２をスキャナ２０の読取部２４ａから読み込み、ＲＡＭ３２にＲＧＢ画像データ１１０として保存する。
【００３９】
次に、ステップＳ１２（第１の判定工程）では、ＲＡＭ３２に保存した画像データがＲＧＢ画像データ１１０である（Ｙｅｓ）か否（Ｎｏ）かを判定し、Ｙｅｓの場合は、ステップＳ２０に移行し、Ｎｏの場合は、ステップＳ１０に移行する。ＲＧＢ画像データ１１０であるか否かの判定方法は、保存した画像データに黒色が含まれてないか否かで行う。
【００４０】
次に、ステップＳ２０では、モアレ画像シート２１２をスキャナ２０の読取部２４ａから読み込みＲＡＭ３２にモアレ画像データ２１０として保存する。
【００４１】
次に、ステップＳ２２（第２の判定工程）では、ＲＡＭ３２に保存した画像データがモアレ画像データ２１０である（Ｙｅｓ）か否（Ｎｏ）かを判定し、Ｙｅｓの場合は、ステップＳ３０に移行し、Ｎｏの場合は、ステップＳ２０に移行する。
【００４２】
次に、ステップＳ３０では、白黒画像シート３１２をスキャナ２０の読取部２４ａから読み込みＲＡＭ３２に白黒画像データ３１０として保存する。
【００４３】
次に、ステップＳ３２（第３の判定工程）では、ＲＡＭ３２に保存した画像データが白黒画像データ３１０である（Ｙｅｓ）か否（Ｎｏ）かを判定し、Ｙｅｓの場合は、ステップＳ４０に移行し、Ｎｏの場合は、ステップＳ３０に移行する。白黒画像データ３１０であるか否かの判定方法は、保存した画像データに黒色以外の色が含まれてないか否かで行う。
【００４４】
次に、ステップＳ４０では、画像調整プログラム５０を実行する。
【００４５】
＜画像調整プログラムの構成＞
次に、本実施形態の画像調整プログラムの構成について図６を参照して説明する。図６は、本実施形態の画像調整プログラムを説明するフローチャートである。図６に示すように画像調整プログラム５０は、エッジ強調工程１００と、モアレ除去工程２００と、無彩色チェック工程３００と、から構成されている。
【００４６】
また、エッジ強調工程１００では、チェック用の画像としてＲＡＭ３２に保存したＲＧＢ画像データ１１０によりエッジ強調パラメータの調整を行う。また、モアレ除去工程２００では、チェック用の画像としてＲＡＭ３２に保存したモアレ画像データ２１０によりモアレ除去パラメータの調整を行う。また、無彩色チェック工程３００では、チェック用の画像としてＲＡＭ３２に保存した白黒画像データ３１０により無彩色パラメータの調整を行う。
【００４７】
図６において、ｓｈａｒｐＭａｘは、エッジ強調パラメータであり、Ｅｄｇｅ＿ｔｈｒ＿ｃｏｌｏｒ＿ＨとＥｄｇｅ＿ｔｈｒ＿ｃｏｌｏｒ＿Ｌは、それぞれモアレ除去パラメータの上限の閾値と下限の閾値であり、ｃｏｌｏｒ＿ｔｈｒ＿Ｌは、無彩色パラメータの下限の閾値である。
【００４８】
エッジ強調工程１００は、ＲＡＭ３２に保存したＲＧＢ画像データ１１０に対し、モアレ除去パラメータＥｄｇｅ＿ｔｈｒ＿ｃｏｌｏｒ＿Ｈ及びＥｄｇｅ＿ｔｈｒ＿ｃｏｌｏｒ＿Ｌと無彩色パラメータｃｏｌｏｒ＿ｔｈｒ＿Ｌの値を固定にし、エッジ強調パラメータｓｈａｒｐＭａｘの値を調整し、画像データのエッジ部分の画素のＲＧＢ値が黒に近い値（Ｒ≒０、Ｇ≒０、Ｂ≒０）にならないエッジ強調パラメータｓｈａｒｐＭａｘの最大値を求める。
【００４９】
モアレ除去工程２００は、ＲＡＭ３２に保存したモアレ画像データ２１０に対し、エッジ強調パラメータｓｈａｒｐＭａｘと無彩色パラメータｃｏｌｏｒ＿ｔｈｒ＿Ｌの値を固定にし、モアレ除去パラメータＥｄｇｅ＿ｔｈｒ＿ｃｏｌｏｒ＿Ｈ及びＥｄｇｅ＿ｔｈｒ＿ｃｏｌｏｒ＿Ｌの値を調整し、画像データのモアレが除去できるモアレ除去パラメータＥｄｇｅ＿ｔｈｒ＿ｃｏｌｏｒ＿Ｈ及びＥｄｇｅ＿ｔｈｒ＿ｃｏｌｏｒ＿Ｌの値を求める。
【００５０】
無彩色チェック工程３００は、ＲＡＭ３２に保存した白黒画像データ３１０に対し、モアレ除去パラメータＥｄｇｅ＿ｔｈｒ＿ｃｏｌｏｒ＿Ｈ及びＥｄｇｅ＿ｔｈｒ＿ｃｏｌｏｒ＿Ｌとエッジ強調パラメータｓｈａｒｐＭａｘの値を固定にし、無彩色パラメータｃｏｌｏｒ＿ｔｈｒ＿Ｌの値を調整し、画像データのすべての画素が無彩色となる無彩色パラメータｃｏｌｏｒ＿ｔｈｒ＿Ｌの値を求める。
【００５１】
次に、図６を参照して画像調整プログラムの動作について説明する。画像調整プログラム５０の処理は、原稿の種類毎にそれぞれ行い、原稿の種類毎に画像調整パラメータの値を求める。原稿の種類は、文字や線で描かれた文書が優先される原稿と、写真などの自然画で主に描かれた原稿などがある。文字や線で描かれた文書が優先される原稿の場合は、エッジが強調され、写真などの自然画で主に描かれた原稿の場合は、モアレ除去が優先される。
【００５２】
先ず、ステップＳ１００（第１工程）では、モアレ除去パラメータの値をＥｄｇｅ＿ｔｈｒ＿ｃｏｌｏｒ＿Ｈ＝２５５、Ｅｄｇｅ＿ｔｈｒ＿ｃｏｌｏｒ＿Ｌ＝０、無彩色パラメータの値をｃｏｌｏｒ＿ｔｈｒ＿Ｌ＝０に設定し、エッジ強調工程１００を行い、第１のエッジ強調パラメータであるエッジ強調パラメータｓｈａｒｐＭａｘ＝ｓｈａｒｐＭａｘ１を求める。
【００５３】
次に、ステップＳ１１０（第２工程）では、無彩色パラメータの値をｃｏｌｏｒ＿ｔｈｒ＿Ｌ＝０、エッジ強調パラメータの値をステップＳ１００で求めたｓｈａｒｐＭａｘ＝ｓｈａｒｐＭａｘ１に設定し、モアレ除去工程２００を行い、第１のモアレ除去パラメータであるモアレ除去パラメータＥｄｇｅ＿ｔｈｒ＿ｃｏｌｏｒ＿Ｈ＝Ｅｄｇｅ＿ｔｈｒ＿ｃｏｌｏｒ＿Ｈ１、Ｅｄｇｅ＿ｔｈｒ＿ｃｏｌｏｒ＿Ｌ＝Ｅｄｇｅ＿ｔｈｒ＿ｃｏｌｏｒ＿Ｌ１を求める。
【００５４】
次に、ステップＳ１２０（第３工程）では、モアレ除去パラメータの値をステップＳ１１０で求めたＥｄｇｅ＿ｔｈｒ＿ｃｏｌｏｒ＿Ｈ＝Ｅｄｇｅ＿ｔｈｒ＿ｃｏｌｏｒ＿Ｈ１、Ｅｄｇｅ＿ｔｈｒ＿ｃｏｌｏｒ＿Ｌ＝Ｅｄｇｅ＿ｔｈｒ＿ｃｏｌｏｒ＿Ｌ１、無彩色パラメータの値をｃｏｌｏｒ＿ｔｈｒ＿Ｌ＝０に設定し、エッジ強調工程１００を行い、第２のエッジ強調パラメータであるエッジ強調パラメータｓｈａｒｐＭａｘ＝ｓｈａｒｐＭａｘ２を求める。
【００５５】
次に、ステップＳ１３０では、原稿の種類が文字・線優先か否かを判定し、文字・線優先の場合は、ステップＳ１４０に移行し、文字・線優先でない場合は、ステップＳ１６０に移行する。
【００５６】
次に、ステップＳ１４０（第４工程）では、モアレ除去パラメータの値をステップＳ１１０で求めたＥｄｇｅ＿ｔｈｒ＿ｃｏｌｏｒ＿Ｈ＝Ｅｄｇｅ＿ｔｈｒ＿ｃｏｌｏｒ＿Ｈ１、Ｅｄｇｅ＿ｔｈｒ＿ｃｏｌｏｒ＿Ｌ＝Ｅｄｇｅ＿ｔｈｒ＿ｃｏｌｏｒ＿Ｌ１、エッジ強調パラメータの値をステップＳ１２０で求めたｓｈａｒｐＭａｘ＝ｓｈａｒｐＭａｘ２に設定し、無彩色チェック工程３００を行い、第１の無彩色パラメータである無彩色パラメータの値ｃｏｌｏｒ＿ｔｈｒ＿Ｌ＝ｃｏｌｏｒ＿ｔｈｒ＿Ｌ１を求める。
【００５７】
次に、ステップＳ１５０（第５工程）では、モアレ除去パラメータの値をステップＳ１１０で求めたＥｄｇｅ＿ｔｈｒ＿ｃｏｌｏｒ＿Ｈ＝Ｅｄｇｅ＿ｔｈｒ＿ｃｏｌｏｒ＿Ｈ１、Ｅｄｇｅ＿ｔｈｒ＿ｃｏｌｏｒ＿Ｌ＝Ｅｄｇｅ＿ｔｈｒ＿ｃｏｌｏｒ＿Ｌ１、無彩色パラメータの値をステップＳ１４０で求めたｃｏｌｏｒ＿ｔｈｒ＿Ｌ＝ｃｏｌｏｒ＿ｔｈｒ＿Ｌ１に設定し、エッジ強調工程１００を行い、第３のエッジ強調パラメータであるエッジ強調パラメータｓｈａｒｐＭａｘ＝ｓｈａｒｐＭａｘ３を求める。
【００５８】
次に、ステップＳ１６０では、これまでに得られた画像調整パラメータであるモアレ除去パラメータ、無彩色パラメータ、エッジ強調パラメータの値に設定し、原稿をスキャナ２０から読み込んだ画像データにより、画像データの画質の最終確認を行う。確認内容は、原稿の種類に応じ、文字や線で描かれた文書が優先される原稿の場合は、文字や線がぼやけていないか、写真などの自然画で主に描かれた原稿の場合は、モアレが出ていないかを確認する。
【００５９】
次に、ステップＳ１７０では、ステップＳ１６０の確認結果がＯＫか否かを判定し、ＯＫの場合は、処理を終了し、ＯＫでない場合は、ステップＳ１８０に移行し、画像調整パラメータの微調整を行う。
【００６０】
以上に述べた前記実施形態によれば、以下の効果が得られる。
【００６１】
本実施形態では、文字や線で描かれた文書が優先される原稿の場合は、文字品質を劣化させることなく、写真などの自然画で主に描かれた原稿の場合は、中間調画像のモアレを軽減することができる最適な画像調整パラメータを少ない工程で効率的に決定できる。また、経時変化、個体差による入力装置の画像調整パラメータの変化を補正することができる。
【００６２】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００６３】
（変形例１）本発明に係る画像調整装置の第１変形例について説明する。前記第１実施形態では、ＲＧＢ画像シート１１２とモアレ画像シート２１２と白黒画像シート３１２の３枚の画像調整用シートを読み込ませるように説明したが、１枚の画像調整用シートに、ＲＧＢ画像データ１１０とモアレ画像データ２１０と白黒画像データ３１０を印刷しておき、１枚の画像調整用シートを読み込むようにしてもよい。この構成によれば、画像調整用シートの読み込みを１回にすることができる。
【図面の簡単な説明】
【００６４】
【図１】画像調整装置の全体構成を示す図。
【図２】スキャナのブロック図。
【図３】コピー操作ユニットのブロック図。
【図４】プリンタのブロック図。
【図５】画像調整用シートの読み込みチェックを説明するフローチャート。
【図６】本実施形態の画像調整プログラムを説明するフローチャート。
【図７】（Ａ）はＲＧＢ画像データ、（Ｂ）はモアレ画像データ、（Ｃ）は白黒画像データ。
【符号の説明】
【００６５】
１０…複写装置、２０…スキャナ、２１…ＣＰＵ、２２…ＲＡＭ、２３…ＲＯＭ、２４…デバイスコントローラ、２４ａ…読取部、２５…画像調整パラメータ保持部、２６…インターフェース、３０…コピー操作ユニット、３１…ＣＰＵ、３２…ＲＡＭ、３３…ＲＯＭ、３４…データ保持部、３５…表示部、３６…操作部、３７…プリンタインターフェース、３８…インターフェース、４０…プリンタ、４１…ＣＰＵ、４２…ＲＡＭ、４３…ＲＯＭ、４４…画像処理部、４５…デバイスコントローラ、４５ａ…プリントエンジン、４６…プロファイル保持部、４７…インターフェース、５０…画像調整プログラム、１００…エッジ強調工程、２００…モアレ除去工程、３００…無彩色チェック工程、１１０…ＲＧＢ画像データ、１１２…ＲＧＢ画像シート、２１０…モアレ画像データ、２１２…モアレ画像シート、３１０…白黒画像データ、３１２…白黒画像シート。
【図１】
2007166467.tif 000003
【図２】
2007166467.tif 000004
【図３】
2007166467.tif 000005
【図４】
2007166467.tif 000006
【図５】
2007166467.tif 000007
【図６】
2007166467.tif 000008
【図７】
2007166467.tif 000009